(57)【特許請求の範囲】
【請求項１】
複数の光源部と、
周囲の環境の変化を検知する環境センサーと、
前記環境センサーによる検知の結果に基づき、前記複数の光源部のうちから、点灯させる前記光源部を選択する制御部と、
前記制御部の動作電圧を生成する電源部と
を備え、
前記環境センサーは、外部電源から入力電圧が入力されて、前記入力電圧の波形を、前記周囲の環境の変化に応じた所定の波形に制御し、
前記電源部は、前記環境センサーから前記入力電圧が入力され、前記入力電圧に基づいて前記動作電圧を生成し、前記動作電圧の波形を、前記入力電圧の波形に応じた所定の波形に制御し、
前記制御部は、前記動作電圧の波形に基づいて、点灯させる前記光源部を選択し、
前記制御部は、選択した前記光源部に給電し、
前記複数の光源部は特定の領域を照らす照明である、照明装置。
【請求項２】
複数の光源部と、
周囲の環境の変化を検知する環境センサーと、
前記環境センサーによる検知の結果に基づき、前記複数の光源部のうちから、点灯させる前記光源部を選択する制御部と、
前記複数の光源部に供給する駆動電流を生成する電源部と
を備え、
前記環境センサーは、外部電源から入力電圧が入力されて、前記入力電圧の波形を、前記周囲の環境の変化に応じた所定の波形に制御し、
前記電源部は、前記環境センサーから前記入力電圧が入力されて、前記入力電圧に基づいて前記駆動電流を生成し、
前記電源部は、前記制御部を備え、
前記制御部は、前記環境センサーから入力された前記入力電圧の波形に基づいて、点灯させる前記光源部を選択し、
前記電源部は、前記環境センサーから入力された前記入力電圧に基づいて、前記制御部によって選択された前記光源部に供給する前記駆動電流を生成し、
前記複数の光源部は特定の領域を照らす照明である、照明装置。
【請求項３】
複数の光源部と、
周囲の環境の変化を検知する環境センサーと、
前記環境センサーによる検知の結果に基づき、前記複数の光源部のうちから、点灯させる前記光源部を選択する制御部と、
外部電源から入力された入力電圧に基づいて、前記制御部の動作電圧を生成する電源部と
を備え、
前記電源部は、前記環境センサーを備え、
前記電源部は、前記動作電圧の波形を、前記環境センサーによって検知された前記周囲の環境の変化に応じた所定の波形に制御し、
前記制御部は、前記動作電圧の波形に基づいて、点灯させる前記光源部を選択し、
前記制御部は、選択した前記光源部に給電し、
前記複数の光源部は特定の領域を照らす照明である、照明装置。
【請求項４】
複数の光源部と、
周囲の環境の変化を検知する環境センサーと、
前記環境センサーによる検知の結果に基づき、前記複数の光源部のうちから、点灯させる前記光源部を選択する制御部と、
外部電源から入力された入力電圧に基づいて、前記複数の光源部に供給する駆動電流を生成する電源部と
を備え、
前記電源部は、前記環境センサーと、前記制御部と、前記駆動電流を生成する複数の電源回路とを備え、
前記制御部は、前記環境センサーによって検知された前記周囲の環境の変化に応じて、点灯させる前記光源部を選択し、
前記複数の電源回路のうち、前記制御部によって選択された前記光源部に対応する電源回路が、前記駆動電流を生成し、
前記複数の光源部は特定の領域を照らす照明である、照明装置。
【請求項５】
前記複数の光源部は、互いに光色が異なる光を発生させる、請求項１から請求項４のいずれか１項に記載の照明装置。
【発明の詳細な説明】
【技術分野】
【０００１】
本発明は、照明装置に関する。
【背景技術】
【０００２】
特許文献１には、人感センサーを備えた照明装置が記載されている。詳しくは、特許文献１に記載の照明装置は、第１光源と第２光源とを備え、人感センサーが人を検知していない期間に第１光源を点灯させる。一方、人感センサーが人を検知したときには、第１光源と第２光源とが点灯する。
【先行技術文献】
【特許文献】
【０００３】
【特許文献１】特開２００７−２８０７３５号公報
【発明の概要】
【発明が解決しようとする課題】
【０００４】
しかしながら、特許文献１に記載の照明装置では、人感センサーが人を検知したときに発生する光の光色が、２つの光源から発生する光を混光した混光色となる。したがって、所望の光色を有する光を発生させるには、２つの光源の明るさ（輝度）の比率（混色比率）等を微調整する必要がある。このため、所望の光色を有する光を得るために、複雑な設計が必要となる。
【０００５】
本発明者らは、上記問題に鑑みて鋭意研究を重ねた。その結果、本発明を完成するに至った。即ち、本発明の目的は、複雑な設計を行うことなく、周囲の環境の変化に応じて所望の光を発生させることが可能な照明装置を提供することにある。
【課題を解決するための手段】
【０００６】
本願に開示する照明装置は、複数の光源部と、環境センサーと、制御部と、電源部とを備える。前記環境センサーは、周囲の環境の変化を検知する。前記制御部は、前記環境センサーによる検知の結果に基づき、前記複数の光源部のうちから、点灯させる前記光源部を選択する。前記電源部は、前記制御部の動作電圧を生成する。前記環境センサーは、外部電源から入力電圧が入力されて、前記入力電圧の波形を、前記周囲の環境の変化に応じた所定の波形に制御する。前記電源部は、前記環境センサーから前記入力電圧が入力され、前記入力電圧に基づいて前記動作電圧を生成し、前記動作電圧の波形を、前記入力電圧の波形に応じた所定の波形に制御する。前記制御部は、前記動作電圧の波形に基づいて、点灯させる前記光源部を選択する。前記制御部は、選択した前記光源部に給電する。前記複数の光源部は特定の領域を照らす照明である。
【０００７】
本願に開示する照明装置は、複数の光源部と、環境センサーと、制御部と、電源部とを備える。前記環境センサーは、周囲の環境の変化を検知する。前記制御部は、前記環境センサーによる検知の結果に基づき、前記複数の光源部のうちから、点灯させる前記光源部を選択する。前記電源部は、前記複数の光源部に供給する駆動電流を生成する。前記環境センサーは、外部電源から入力電圧が入力されて、前記入力電圧の波形を、前記周囲の環境の変化に応じた所定の波形に制御する。前記電源部は、前記環境センサーから前記入力電圧が入力されて、前記入力電圧に基づいて前記駆動電流を生成する。前記電源部は、前記制御部を備える。前記制御部は、前記環境センサーから入力された前記入力電圧の波形に基づいて、点灯させる前記光源部を選択する。前記電源部は、前記環境センサーから入力された前記入力電圧に基づいて、前記制御部によって選択された前記光源部に供給する前記駆動電流を生成する。前記複数の光源部は特定の領域を照らす照明である。
【０００８】
本願に開示する照明装置は、複数の光源部と、環境センサーと、制御部と、電源部とを備える。前記環境センサーは、周囲の環境の変化を検知する。前記制御部は、前記環境センサーによる検知の結果に基づき、前記複数の光源部のうちから、点灯させる前記光源部を選択する。前記電源部は、外部電源から入力された入力電圧に基づいて、前記制御部の動作電圧を生成する。前記電源部は、前記環境センサーを備える。前記電源部は、前記動作電圧の波形を、前記環境センサーによって検知された前記周囲の環境の変化に応じた所定の波形に制御する。前記制御部は、前記動作電圧の波形に基づいて、点灯させる前記光源部を選択する。前記制御部は、選択した前記光源部に給電する。前記複数の光源部は特定の領域を照らす照明である。
【０００９】
本願に開示する照明装置は、複数の光源部と、環境センサーと、制御部と、電源部とを備える。前記環境センサーは、周囲の環境の変化を検知する。前記制御部は、前記環境センサーによる検知の結果に基づき、前記複数の光源部のうちから、点灯させる前記光源部を選択する。前記電源部は、外部電源から入力された入力電圧に基づいて、前記複数の光源部に供給する駆動電流を生成する。前記電源部は、前記環境センサーと、前記制御部と、前記駆動電流を生成する複数の電源回路とを備える。前記制御部は、前記環境センサーによって検知された前記周囲の環境の変化に応じて、点灯させる前記光源部を選択する。前記複数の電源回路のうち、前記制御部によって選択された前記光源部に対応する電源回路が、前記駆動電流を生成する。前記複数の光源部は特定の領域を照らす照明である。
【００１０】
本願に開示する照明装置において、前記複数の光源部は、互いに光色が異なる光を発生させ得る。
【発明の効果】
【００１６】
本発明によれば、複雑な設計を行うことなく、周囲の環境の変化に応じて所望の光を発生させることが可能となる。
【図面の簡単な説明】
【００１７】
【図１】実施形態１に係る照明装置の構成を示すブロック図である。
【図２】実施形態２に係る照明装置の構成を示すブロック図である。
【図３】実施形態３に係るＬＥＤ素子の配置を示す図である。
【図４】実施形態３に係る第２灯具本体の構成を示す断面図である。
【図５】実施形態４に係る照明装置の構成を示すブロック図である。
【図６】実施形態５に係る照明装置の構成を示すブロック図である。
【図７】実施形態６に係る照明装置の構成を示すブロック図である。
【図８】実施形態６に係る第２電源部の構成を示すブロック図である。
【図９】実施形態７に係る照明装置の構成を示すブロック図である。
【図１０】実施形態７に係る第３電源部の構成を示すブロック図である。
【図１１】実施形態８に係る照明装置の構成を示すブロック図である。
【図１２】実施形態８に係る第４電源部の構成を示すブロック図である。
【発明を実施するための形態】
【００１８】
以下、図面を参照して本発明の実施形態を説明する。ただし、図中、同一又は相当部分については同一の参照符号を付して説明を繰り返さない。
【００１９】
［実施形態１］
図１は、実施形態１に係る照明装置１の構成を示すブロック図である。図１に示すように、照明装置１は、第１環境センサー３ａと、第１電源部４ａと、第１灯具本体５ａとを備える。第１灯具本体５ａは、複数の光源部２と、第１制御部５１と、基板５２とを有する。複数の光源部２及び第１制御部５１は、基板５２に実装されている。本実施形態では、複数の光源部２は第１光源部２１と第２光源部２２とを含む。第１制御部５１は、マイクロコンピューターのような制御機器を含む。
【００２０】
複数の光源部２はそれぞれ、少なくとも１個の発光素子を含む。本実施形態において、発光素子は、ＬＥＤ（Ｌｉｇｈｔ  Ｅｍｉｔｔｉｎｇ  Ｄｉｏｄｅ）素子である。第１光源部２１及び第２光源部２２は、互いに光色が異なる光を発生させる。つまり、第１光源部２１及び第２光源部２２は、互いに相関色温度が異なるＬＥＤ素子を含む。具体的には、第１光源部２１は、第２光源部２２よりも相関色温度が高い光を発生させる。第２光源部２２は、第１光源部２１よりも相関色温度が低い光を発生させる。例えば、第１光源部２１は、白色光を発生させ得る。第２光源部２２は、電球色の光を発生させ得る。
【００２１】
第１電源部４ａには、外部電源１００（典型的には、商用電源）から第１環境センサー３ａを介して入力電圧が入力される。第１環境センサー３ａは、周囲の環境の変化を検知する。本実施形態において、第１環境センサー３ａは、位相制御機能（調光機能）を有する。具体的には、第１環境センサー３ａは、第１電源部４ａへ入力する入力電圧（典型的には、商用交流電圧）の波形を、周囲の環境の変化に応じた所定の波形に制御する。第１環境センサー３ａは、例えば、第１灯具本体５ａに設置され得る。
【００２２】
本実施形態において、第１環境センサー３ａは、人感センサー３１（検知対象を検知する検知センサーの一例）を含む。人感センサー３１は、検知領域内に人体等の検知対象が存在するか否か（周囲の環境の変化の一例）を検知する。具体的には、人感センサーは、焦電素子を含むパッシブ型の赤外線センサーである。即ち、人感センサーは、検知対象から放射される赤外線を検出することにより、検知対象を検知する。
【００２３】
人感センサー３１は、第１電源部４ａへ入力する入力電圧の波形を、検知領域内に検知対象が存在するか否か（検知結果）に応じた所定の波形に制御する。詳しくは、人感センサー３１は、検知対象を検知すると、入力電圧の波形を第１の波形に制御する。また、人感センサー３１は、検知対象を検知していない間、外部電源１００から供給される電圧をそのまま第１電源部４ａに入力する。換言すると、第１電源部４ａに入力される入力電圧の波形は、外部電源１００から供給される電圧の波形となる。
【００２４】
第１電源部４ａは、外部電源１００から第１環境センサー３ａを介して第１電源部４ａに入力された入力電圧に基づいて、第１制御部５１（例えば、マイクロコンピューター）の動作電圧を生成する。詳しくは、第１電源部４ａは、第１制御部５１の動作電圧の波形を、入力電圧の波形に応じた所定の波形に制御する。より詳しくは、第１電源部４ａは、入力電圧の波形に対応するパルス状の電圧を生成する。例えば、第１電源部４ａは、入力電圧の波形に対応するパルス波長を有する電圧信号を生成する。したがって、第１電源部４ａが生成するパルス状の電圧は、検知領域内に検知対象が存在するか否か（検知結果）を示す。具体的には、第１電源部４ａは電源回路を含む。電源回路は、プリント配線基板と、プリント配線基板に実装された複数の電子部品とを含む。複数の電子部品は、第１制御部５１の動作電圧を生成するために必要な回路部品（トランスやダイオード、コンデンサなど）を含む。
【００２５】
第１制御部５１は、第１電源部４ａが生成する動作電圧に基づいて、第１光源部２１又は第２光源部２２に含まれる発光素子に給電を行う。この結果、第１光源部２１又は第２光源部２２が点灯する。本実施形態において、第１制御部５１は、所定の電流値を有する直流電流（駆動電流）を第１光源部２１又は第２光源部２２に供給する。
【００２６】
第１制御部５１は、人感センサー３１による検知の結果に基づき、複数の光源部２（第１光源部２１及び第２光源部２２）のうちから、点灯させる光源部２を選択する。つまり、第１制御部５１は、選択した光源部２へのみ直流電流を供給する。本実施形態において、第１制御部５１は、第１電源部４ａが生成するパルス状の電圧の波形（動作電圧の波形）に基づき、点灯させる光源部２を選択する。その結果、人感センサー３１による検知の結果に応じて、直流電流が供給される光源部２が切り替わる。よって、周囲の環境の変化に応じて、点灯する光源部２が切り替わる。つまり、照明装置１から発生する光の光色が切り替わる。
【００２７】
詳しくは、人感センサー３１が、検知領域内に検知対象が存在することを検知すると、第１制御部５１は、第１光源部２１にのみ直流電流を供給する。一方、人感センサー３１が検知対象を検知していない間、第１制御部５１は、第２光源部２２にのみ直流電流を供給する。
【００２８】
なお、人感センサー３１は、タイマー機能を有し得る。詳しくは、人感センサー３１は、検知領域内に検知対象が存在することを検知すると、タイマー機能により、予め設定された期間の計時を開始する。また、人感センサー３１は、タイマー機能による計時が行われている間、第１電源部４ａへ入力する入力電圧の波形を、検知領域内に検知対象が存在することを示す所定の波形（第１の波形）となるように制御する。その結果、タイマー機能による計時が行われている間、第１光源部２１から光が発生する。あるいは、第１制御部５１がタイマー機能を有してもよい。詳しくは、人感センサー３１が、検知領域内に検知対象が存在することを検知すると、第１制御部５１は、タイマー機能により、予め設定された期間の計時を開始する。また、第１制御部５１は、タイマー機能による計時が行われている間、第１光源部２１へのみ直流電流を供給する。
【００２９】
以上、実施形態１について説明した。実施形態１によれば、検知領域内に検知対象が存在するか否か（周囲の環境の変化の一例）に応じて、点灯する光源部２を切り替えることができる。したがって、個々の光源部２の設計を、他の光源部２の設計を考慮して行うことなく、周囲の環境の変化に応じて切り替わる光の光色を所望の光色とすることができる。具体的には、各光源部２において、所望の光色を有する光を発生させる発光素子を使用すればよい。よって、実施形態１によれば、複雑な設計を行うことなく、周囲の環境の変化に応じて所望の光色を有する光を発生させることができる。
【００３０】
また、実施形態１によれば、人感センサー３１が検知対象を検知したとき、相関色温度が比較的高い光を発生させることができる。よって、実施形態１に係る照明装置１を、ポーチ灯やガーデンライトのようなエクステリア照明に適用することにより、敷地内（検知領域内）に侵入した侵入者に対し、相関色温度が比較的高い光（例えば、白色光）を照射することができる。したがって、防犯性を高めることができる。一方、人感センサー３１が検知対象を検知していないときには、相関色温度が比較的低い光（例えば、電球色の光）を発生させることができる。よって、くつろぎ感のある光を提供して、利用者の快適性を向上させることができる。
【００３１】
更に、実施形態１によれば、第１制御部５１が複数の光源部２の点灯を制御する。したがって、第１環境センサー３ａ及び第１電源部４ａの構成を変更することなく、灯具本体の交換、又は、灯具本体の種類の変更を行うことができる。
【００３２】
なお、実施形態１では、第１光源部２１から発生する光が、第２光源部２２から発生する光よりも高い相関色温度を有する形態について説明したが、第２光源部２２から発生する光が、第１光源部２１から発生する光よりも高い相関色温度を有してもよい。
【００３３】
［実施形態２］
続いて図２を参照して、実施形態２を説明する。図２は、実施形態２に係る照明装置１の構成を示すブロック図である。実施形態２は、周囲の環境の変化に応じて、照明装置１から発生する光の輝度（明るさ）が切り替わる点で、実施形態１と異なる。
【００３４】
図２に示すように、複数の光源部２は、第３光源部２３と第４光源部２４とを含む。第３光源部２３及び第４光源部２４は、互いに輝度が異なる光を発生させる。本実施形態では、第３光源部２３に含まれる発光素子の数が、第４光源部２４に含まれる発光素子の数よりも多い。あるいは、第３光源部２３に含まれる発光素子の密度（単位面積あたりの発光素子の数）が、第４光源部２４に含まれる発光素子の密度よりも大きい。この結果、第３光源部２３から、第４光源部２４よりも明るい光が発生する。
【００３５】
以上、実施形態２について説明した。実施形態２によれば、検知領域内に検知対象が存在するか否か（周囲の環境の変化の一例）に応じて、点灯する光源部２を切り替えることができる。したがって、個々の光源部２の設計を、他の光源部２の設計を考慮して行うことなく、周囲の環境の変化に応じて切り替わる光の輝度を所望の輝度とすることができる。具体的には、各光源部２において、発光素子の数又は密度を、所望の輝度を有する光が発生するように設定すればよい。このように、実施形態２によれば、複雑な設計を行うことなく、周囲の環境の変化に応じて所望の輝度を有する光を発生させることができる。
【００３６】
また、実施形態２によれば、人感センサー３１が検知対象を検知したとき、比較的明るい光を発生させることができる。よって、実施形態２に係る照明装置１を、ポーチ灯やガーデンライトのようなエクステリア照明に適用することにより、敷地内（検知領域内）に侵入した侵入者に対し、比較的明るい光を照射することができる。したがって、防犯性を高めることができる。また、実施形態２に係る照明装置１を、住宅の廊下や階段を照らす照明に適用することにより、比較的明るい光によって足元を照らすことができる。したがって、安全性を高めることができる。
【００３７】
なお、実施形態２では、第３光源部２３から発生する光が、第４光源部２４から発生する光よりも明るい形態について説明したが、第４光源部２４から、第３光源部２３よりも明るい光を発生させてもよい。
【００３８】
また、実施形態２では、所望の輝度を有する光を得るために、各光源部２において発光素子の数又は密度を調整する形態について説明したが、所望の輝度を有する光を得るために、第１制御部５１に調光機能を付与してもよい。具体的には、第１制御部５１が、第３光源部２３に対して、第４光源部２４へ供給する直流電流とは異なる電流値を有する直流電流（駆動電流）を供給してもよい。
【００３９】
また、実施形態２では、周囲の環境の変化に応じて輝度が切り替わる形態について説明したが、輝度と共に、実施形態１で説明したように光色が切り替わってもよい。つまり、第３光源部２３及び第４光源部２４から、互いに光色が異なる光を発生させてもよい。具体的には、第３光源部２３から、第４光源部２４よりも相関色温度が高い光を発生させてもよい。あるいは、第４光源部２４から、第３光源部２３よりも相関色温度が高い光を発生させてもよい。
【００４０】
［実施形態３］
続いて図３及び図４を参照して、実施形態３を説明する。実施形態３は、周囲の環境の変化に応じて、照明装置１から発生する光の配光角度が切り替わる点で、実施形態１、２と異なる。
【００４１】
図３は、実施形態３に係るＬＥＤ素子２１０の配置を示す図である。図３に示すように、実施形態３に係る照明装置１は、複数のＬＥＤ素子２１０を備える。複数のＬＥＤ素子２１０は、第１ＬＥＤ素子２１１と第２ＬＥＤ素子２１２とを含む。第１ＬＥＤ素子２１１と第２ＬＥＤ素子２１２とは、基板５２の一方の主面に配置される。また、第２ＬＥＤ素子２１２は、第１ＬＥＤ素子２１１の周囲に配置される。なお、図１を参照して説明した第１制御部５１は、基板５２の他方の主面に配置される。
【００４２】
続いて図４を参照して、実施形態３に係る照明装置１が備える第２灯具本体５ｂの構成について説明する。図４は、実施形態３に係る第２灯具本体５ｂの構成を示す断面図である。図４に示すように、第２灯具本体５ｂは、天井Ｃに形成された取付穴Ｈに埋め込まれて設置される。なお、以下の説明において、「上」及び「下」は、第２灯具本体５ｂが天井Ｃに取り付けられた状態であるときの「上」及び「下」に対応する。
【００４３】
本実施形態において、第２灯具本体５ｂは、複数の光源部２として、第５光源部２５と第６光源部２６とを有する。第５光源部２５は、図３を参照して説明した第１ＬＥＤ素子２１１を含む。更に、第５光源部２５はレンズ５６を含む。第６光源部２６は、図３を参照して説明した第２ＬＥＤ素子２１２を含む。更に、第６光源部２６はパネル５７を含む。第５光源部２５と第６光源部２６とは、互いに配光角度が異なる光を発生させる。
【００４４】
第２灯具本体５ｂは、反射部材５５を更に備える。第２灯具本体５ｂは、下側が開口する収容凹部５３を有し、収容凹部５３内に基板５２、反射部材５５、レンズ５６、及びパネル５７が収容される。基板５２は、第１ＬＥＤ素子２１１及び第２ＬＥＤ素子２１２が下方を向くように、収容凹部５３内に配置される。
【００４５】
反射部材５５は、下側が開口する筒状部材である。反射部材５５は、例えば樹脂素材により形成される。反射部材５５は、底面部５５ａと、周壁部５５ｂと、隔壁部５５ｃとを有する。周壁部５５ｂは、底面部５５ａの周縁部に連接しており、底面部５５ａから離れるにつれて緩やかに広がる。
【００４６】
底面部５５ａには、第１光源孔５５ｄと、第２光源孔５５ｅとが形成されている。反射部材５５は、第１光源孔５５ｄから第１ＬＥＤ素子２１１が露出するとともに、第２光源孔５５ｅから第２ＬＥＤ素子２１２が露出するように配置される。隔壁部５５ｃは、第１光源孔５５ｄの周囲に形成されており、底面部５５ａから下方へ向けて突出している。
【００４７】
底面部５５ａ及び周壁部５５ｂの内側面は、第１ＬＥＤ素子２１１及び第２ＬＥＤ素子２１２から発生する光を反射する。また、隔壁部５５ｃの表面も、第１ＬＥＤ素子２１１及び第２ＬＥＤ素子２１２から発生する光を反射する。
【００４８】
レンズ５６は、第１ＬＥＤ素子２１１に対向して配置される。第１ＬＥＤ素子２１１から発生した光は、レンズ５６に直接入射するか、又は、隔壁部５５ｃによって反射されてレンズ５６に入射する。レンズ５６は、第１ＬＥＤ素子２１１から入射した光を所定の照射角となるように集光する。すなわち、レンズ５６は、第１ＬＥＤ素子２１１から発生した光を集光して、スポット光を形成する。
【００４９】
詳しくは、レンズ５６の形状は、下端に大径面を有し、上端に小径面を有する砲弾形状である。例えば、レンズ５６は、第１ＬＥＤ素子２１１から発生した光を中角配光する。あるいは、レンズ５６は、第１ＬＥＤ素子２１１から発生した光を狭角配光する。レンズ５６は、光を透過する光学材料（例えば、アクリル樹脂、ポリカーボネート、又はガラス）によって形成される。
【００５０】
パネル５７は、すり鉢状であり、下方に向かって拡径する。パネル５７は、レンズ５６の下端の外周近傍から収容凹部５３の下端の周縁にわたって収容凹部５３を閉塞する。この結果、パネル５７は、第２ＬＥＤ素子２１２に対向するように配置されて、第２ＬＥＤ素子２１２の下方を覆う。第２ＬＥＤ素子２１２から発生した光は、パネル５７に直接入射するか、又は、反射部材５５によって反射されてパネル５７に入射する。
【００５１】
パネル５７は、第２ＬＥＤ素子２１２から入射した光を透過及び拡散させる。具体的には、パネル５７は、レンズ５６によって得られるスポット光よりも照射角が広い広角配光の拡散光を出射する。パネル５７は、例えば、光を透過する樹脂素材（例えば、アクリル樹脂）又はガラス素材で形成される。
【００５２】
以上、実施形態３について説明した。実施形態３によれば、検知領域内に検知対象が存在するか否か（周囲の環境の変化の一例）に応じて、第５光源部２５と第６光源部２６とのうちのいずれか一方が点灯する。よって、照明装置１から発生する光の配光角度を周囲の環境の変化に応じて切り替えることができる。即ち、第１ＬＥＤ素子２１１に給電が行われると、第１ＬＥＤ素子２１１から発生した光がレンズ５６に入射する。その結果、スポット光が出射される。一方、第２ＬＥＤ素子２１２に給電が行われると、第２ＬＥＤ素子２１２から発生した光がパネル５７に入射する。その結果、広角配光の拡散光が出射される。
【００５３】
また、実施形態３によれば、実施形態１で説明したように、複雑な設計を行うことなく、周囲の環境の変化に応じて所望の光色を有する光を発生させることができる。即ち、第１ＬＥＤ素子２１１及び第２ＬＥＤ素子２１２として、所望の光色を有する光を発生させるＬＥＤ素子を採用すればよい。また、実施形態２で説明したように、周囲の環境の変化に応じて所望の輝度を有する光を発生させることができる。即ち、第１ＬＥＤ素子２１１及び第２ＬＥＤ素子２１２の数又は密度を、所望の輝度が得られるように調整すればよい。あるいは、所望の輝度が得られるように、第１制御部５１に調光機能を付与すればよい。
【００５４】
また、実施形態３によれば、人感センサー３１が検知対象を検知したとき、広角配光の光を発生させることができる。よって、実施形態３に係る照明装置１を、ポーチ灯やガーデンライトのようなエクステリア照明に適用することにより、人感センサー３１が検知対象を検知したとき、敷地を広く照射することができる。したがって、防犯性を高めることができる。
【００５５】
なお、第３実施形態では、第１ＬＥＤ素子２１１から発生する光の配光を制御するためにレンズ５６を使用する形態について説明したが、レンズ５６に替えて、例えば、円盤状又は半球状の透明カバーを使用してもよい。あるいは、円盤状又は半球状の透光性カバーを使用してもよい。
【００５６】
［実施形態４］
続いて図５を参照して、実施形態４を説明する。図５は、実施形態４に係る照明装置１の構成を示すブロック図である。図５に示すように、実施形態４は、第１環境センサー３ａが照度センサー３２を含む点で、実施形態１〜３と異なる。
【００５７】
照度センサー３２は、周囲の環境の照度（明るさ）を検知する。照度センサー３２は、第１光源部２１及び第２光源部２２から発生する光を検知しないように配置される。照度センサー３２は、例えば、硫化カドミウムを用いた光センサーで構成することができる。
【００５８】
照度センサー３２は、第１電源部４ａへ入力する入力電圧の波形を、周囲の環境の照度（検知結果）に応じた所定の波形に制御する。本実施形態では、照度センサー３２は、周囲の環境の照度が第１判定値以上である間、外部電源１００から供給される電圧をそのまま第１電源部４ａに入力する。また、照度センサー３２は、周囲の環境の照度が第１判定値未満になると、入力電圧の波形を第２の波形に制御する。更に、照度センサー３２は、周囲の環境の照度が第２判定値未満になると、入力電圧の波形を第３の波形に制御する。なお、第１判定値は、第２判定値よりも大きい値を有する。
【００５９】
第１判定値及び第２判定値は任意の値に設定し得る。例えば、第１判定値を、晴れた日の昼から夕方になる合間の照度に設定し、第２判定値を、晴れた日の夕方から夜になる合間の照度に設定してもよい。この場合、昼間（周囲の環境の照度が第１判定値以上である間）は、外部電源１００から供給される電圧がそのまま第１電源部４ａに入力される。一方、夕方になると（周囲の環境の照度が第１判定値未満になると）、第１電源部４ａへ入力される入力電圧の波形が第２の波形になる。また、夜になると（周囲の環境の照度が第２判定値未満になると）、第１電源部４ａへ入力される入力電圧の波形が第３の波形になる。更に、次の日の朝になると（周囲の環境の照度が第２判定値以上になると）、第１電源部４ａへ入力される入力電圧の波形が第２の波形になる。
【００６０】
第１電源部４ａは、照度センサー３２を介して第１電源部４ａに入力される入力電圧に基づき、外部電源１００から供給される電圧の波形、第２の波形、及び第３の波形のうちのいずれかに対応するパルス状の電圧（第１制御部５１の動作電圧）を生成する。
【００６１】
第１制御部５１は、照度センサー３２による検知の結果（第１電源部４ａが生成する動作電圧）に基づき、第１光源部２１と第２光源部２２とのうちの一方を点灯させる。詳しくは、周囲の環境の照度が第１判定値未満になると、第１制御部５１は、第２光源部２２にのみ直流電流（駆動電流）を供給する。つまり、照度センサー３２を介して第１電源部４ａに入力される入力電圧の波形が第２の波形である場合、第２光源部２２が点灯する。また、周囲の環境の照度が第２判定値未満になると、第１制御部５１は、第１光源部２１にのみ直流電流（駆動電流）を供給する。つまり、入力電圧の波形が第３の波形である場合、第１光源部２１が点灯する。一方、周囲の環境の照度が第１判定値以上になると、第１制御部５１は、第１光源部２１及び第２光源部２２への直流電流の供給を停止する。つまり、入力電圧の波形が、外部電源１００から供給される電圧の波形である場合、第１光源部２１及び第２光源部２２が消灯する。
【００６２】
例えば、第１判定値を、晴れた日の昼から夕方になる合間の照度に設定し、第２判定値を、晴れた日の夕方から夜になる合間の照度に設定した場合、昼間は、第１光源部２１及び第２光源部２２が消灯する。一方、夕方になると第２光源部２２のみが点灯し、夜になると第１光源部２１のみが点灯する。更に、次の日の朝になると、第２光源部２２のみが点灯する。
【００６３】
以上、実施形態４について説明した。実施形態４によれば、複雑な設計を行うことなく、周囲の環境の明るさの変化（周囲の環境の変化の一例）に応じて所望の光色を有する光を発生させることができる。
【００６４】
なお、実施形態４では、周囲の環境の照度が第１判定値以上になると全ての光源部２が消灯したが、第１光源部２１が消灯している期間に第２光源部２２の点灯を継続させてもよい。詳しくは、周囲の環境の照度が第３判定値以上の場合に、第２光源部２２のみが点灯し、周囲の環境の照度が第３判定値未満の場合に第１光源部２１のみが点灯してもよい。
【００６５】
第３判定値は任意の値に設定し得る。例えば、第３判定値を、第１判定値と同様に、晴れた日の昼から夕方になる合間の照度に設定してもよい。この場合、昼間は第２光源部２２が点灯し、夕方から次の日の朝にかけて、第１光源部２１が点灯する。あるいは、第３判定値を、第２判定値と同様に、晴れた日の夕方から夜になる合間の照度に設定してもよい。この場合、朝から夕方にかけて第２光源部２２が点灯し、夜間に第１光源部２１が点灯する。
【００６６】
また、実施形態４では、第１光源部２１及び第２光源部２２を消灯させる際にも、第１電源部４ａが動作電圧を生成したが、第１電源部４ａは、第１光源部２１及び第２光源部２２を消灯させる期間に、動作電圧の生成を停止してもよい。この場合、第２の波形又は第３の波形は、外部電源１００から供給される電圧の波形であり得る。
【００６７】
また、実施形態４では、照明装置１から発生する光の光色が切り替わる形態について説明したが、実施形態２で説明したように、照明装置１から発生する光の輝度を切り替えてもよい。また、実施形態３で説明したように、照明装置１から発生する光の配光角度を切り替えてもよい。
【００６８】
［実施形態５］
続いて図６を参照して、実施形態５を説明する。図６は、実施形態５に係る照明装置１の構成を示すブロック図である。図６に示すように、実施形態５は、第１環境センサー３ａが照度センサー付き人感センサー３３を含む点で実施形態１〜４と異なる。
【００６９】
照度センサー付き人感センサー３３は、照度センサーの機能を有する。照度センサー付き人感センサー３３は、周囲の環境の照度が第４判定値未満になると、第１電源部４ａへ入力する入力電圧の波形を第４の波形に制御する。また、照度センサー付き人感センサー３３は、周囲の環境の照度が第４判定値未満である間に検知対象を検知すると、入力電圧の波形を第５の波形に制御する。一方、照度センサー付き人感センサー３３は、周囲の環境の照度が第４判定値以上になると、入力電圧の波形を第６の波形に制御する。又は、外部電源１００から供給される電圧をそのまま第１電源部４ａに入力する。
【００７０】
第４判定値は任意の値に設定し得る。例えば、第４判定値は、晴れた日の昼から夕方になる合間の照度に設定し得る。この場合、昼間（周囲の環境の照度が第４判定値以上である間）は、第１電源部４ａへ入力される入力電圧の波形は第６の波形になる。又は、外部電源１００から供給される電圧がそのまま第１電源部４ａに入力される。一方、夕方から次の日の朝にかけて（周囲の環境の照度が第４判定値未満である間）、第１電源部４ａへ入力される入力電圧の波形は第４の波形又は第５の波形になる。あるいは、第４判定値は、晴れた日の夕方から夜になる合間の照度に設定し得る。この場合、朝から夕方にかけて（周囲の環境の照度が第４判定値以上である間）、第１電源部４ａへ入力される入力電圧の波形は第６の波形になる。又は、外部電源１００から供給される電圧がそのまま第１電源部４ａに入力される。一方、夜間（周囲の環境の照度が第４判定値未満である間）は、第１電源部４ａへ入力される入力電圧の波形は第４の波形又は第５の波形になる。
【００７１】
実施形態５において、第１制御部５１は、照度センサー付き人感センサー３３による検知の結果（第１電源部４ａが生成する動作電圧）に基づき、第１光源部２１と第２光源部２２とのうちの一方を点灯させる。詳しくは、周囲の環境の照度が第４判定値未満になると、第１制御部５１は第２光源部２２にのみ直流電流（駆動電流）を供給する。つまり、照度センサー付き人感センサー３３を介して第１電源部４ａへ入力される入力電圧の波形が第４の波形である場合、第２光源部２２が点灯する。また、第１制御部５１は、周囲の環境の照度が第４判定値未満である間に照度センサー付き人感センサー３３が検知対象を検知すると、第１光源部２１にのみ直流電流（駆動電流）を供給する。つまり、入力電圧の波形が第５の波形である場合、第１光源部２１が点灯する。一方、周囲の環境の照度が第４判定値以上になると、第１制御部５１は、第１光源部２１及び第２光源部２２への直流電流の供給を停止する。つまり、入力電圧の波形が、第６の波形、又は、外部電源１００から供給される電圧の波形である場合、第１光源部２１及び第２光源部２２が消灯する。
【００７２】
例えば、第４判定値を、晴れた日の昼から夕方になる合間の照度に設定した場合、昼間は第１光源部２１及び第２光源部２２が消灯する。一方、夕方から次の日の朝にかけては、第１光源部２１又は第２光源部２２が点灯する。具体的には、照度センサー付き人感センサー３３が検知対象を検知している間、第１光源部２１が点灯し、それ以外の間、第２光源部２２が点灯する。また、第４判定値を、晴れた日の夕方から夜になる合間の照度に設定した場合、朝から夕方にかけて第１光源部２１及び第２光源部２２が消灯する。一方、夜間は、第１光源部２１又は第２光源部２２が点灯する。具体的には、照度センサー付き人感センサー３３が検知対象を検知している間、第１光源部２１が点灯し、それ以外の間、第２光源部２２が点灯する。
【００７３】
なお、照度センサー付き人感センサー３３は、第２光源部２２への給電を停止させるために、タイマー機能を有してもよい。詳しくは、周囲の環境の照度が第４判定値未満になると（例えば、夜になると）、照度センサー付き人感センサー３３は、タイマー機能により、予め設定された点灯期間（例えば、６時間）の計時を開始する。そして、照度センサー付き人感センサー３３は、点灯期間が経過すると、入力電圧の波形を第６の波形に制御するか、又は、外部電源１００から供給される電圧をそのまま第１電源部４ａへ供給する。また、照度センサー付き人感センサー３３は、周囲の環境の照度が第４判定値未満である間に検知対象を検知すると、入力電圧の波形を第５の波形に制御する。その結果、点灯期間の経過後は、周囲の環境の照度が第４判定値以上になるまで（例えば、次の日の朝を迎えるまで）、検知領域内に検知対象が存在するか否かに応じて、第１光源部２１のみが点灯する。
【００７４】
あるいは、第１制御部５１がタイマー機能を有してもよい。詳しくは、周囲の環境の照度が第４判定値未満になると（例えば、夜になると）、第１制御部５１は、タイマー機能により、点灯期間（例えば、６時間）の計時を開始する。第１制御部５１は、点灯期間が経過すると、周囲の環境の照度が第４判定値以上になるまで（例えば、次の日の朝を迎えるまで）、検知領域内に検知対象が存在するか否かに応じて、第１光源部２１のみを点灯させる。
【００７５】
更に、第１制御部５１は、防犯性を高めるために、第１光源部２１をフラッシュ点灯させる機能を有してもよい。具体的には、第１制御部５１は、点灯期間が経過した後、照度センサー付き人感センサー３３が検知対象を検知すると、第１光源部２１をフラッシュ点灯させてもよい。第１光源部２１がフラッシュ点灯すると、一定の期間、明滅する光（フラッシュ光）が発生する。
【００７６】
以上、実施形態５について説明した。実施形態５によれば、複雑な設計を行うことなく、周囲の環境の変化に応じて所望の光色を有する光を発生させることができる。更に、実施形態５によれば、周囲の環境の変化に応じて、明滅する光（所望の光の一例）を発生させることができる。
【００７７】
なお、実施形態５では、照明装置１から発生する光の光色が切り替わる形態について説明したが、実施形態２で説明したように、照明装置１から発生する光の輝度を切り替えてもよい。また、実施形態３で説明したように、照明装置１から発生する光の配光角度を切り替えてもよい。
【００７８】
［実施形態６］
続いて図７及び図８を参照して、実施形態６を説明する。図７は、実施形態６に係る照明装置１の構成を示すブロック図である。図７に示すように、実施形態６は、第２電源部４ｂ及び第３灯具本体５ｃを備える点で実施形態１〜５と異なる。
【００７９】
第３灯具本体５ｃは、複数の光源部２を有する。本実施形態では、複数の光源部２は第１光源部２１と第２光源部２２とを含む。
【００８０】
第２電源部４ｂは、第１光源部２１又は第２光源部２２に含まれる発光素子に給電を行って、第１光源部２１又は第２光源部２２を点灯させる。具体的には、第２電源部４ｂは、外部電源１００から第１環境センサー３ａを介して入力された入力電圧に基づいて、所定の電流値を有する直流電流（駆動電流）を第１光源部２１又は第２光源部２２に供給する。
【００８１】
図８は、第２電源部４ｂの構成を示す図である。図８に示す具体例において、第２電源部４ｂは、第１電源回路４１、第２電源回路４２、第３電源回路４３、第２制御部４４ａ、及びスイッチ部４５を含む。第２制御部４４ａは、マイクロコンピューターのような制御機器を含み、スイッチ部４５は、例えば、半導体スイッチ素子又はリレー回路を含む。
【００８２】
第１電源回路４１は、外部電源１００から第１環境センサー３ａを介して第１電源回路４１に入力された入力電圧に基づいて、第２制御部４４ａ（例えば、マイクロコンピューター）の動作電圧を生成する。詳しくは、第１電源回路４１は、入力電圧の波形に対応するパルス状の電圧を生成する。例えば、第１電源回路４１は、入力電圧の波形に対応するパルス波長を有する電圧信号を生成する。
【００８３】
第２制御部４４ａは、第１電源回路４１が生成する動作電圧に基づいて、スイッチ部４５を制御する。スイッチ部４５は、第２制御部４４ａによって制御されて、外部電源１００から第１環境センサー３ａを介してスイッチ部４５に入力された入力電圧を、第２電源回路４２又は第３電源回路４３に供給する。詳しくは、第２制御部４４ａは、第１電源回路４１が生成するパルス状の電圧の波形（動作電圧の波形）に基づき、第１光源部２１及び第２光源部２２のうちから、点灯させる光源部２を選択する。スイッチ部４５は、第２制御部４４ａによって選択された光源部２へ給電が行われるように動作する。具体的には、スイッチ部４５は、第２制御部４４ａによって第１光源部２１が選択されると、入力電圧が第２電源回路４２に供給されるように動作する。一方、第２制御部４４ａによって第２光源部２２が選択されると、スイッチ部４５は、入力電圧が第３電源回路４３に供給されるように動作する。
【００８４】
第２電源回路４２は、スイッチ部４５を介して供給された入力電圧に基づき、第１光源部２１を点灯（駆動）させる直流電流（駆動電流）を生成する。同様に、第３電源回路４３は、スイッチ部４５を介して供給された入力電圧に基づき、第２光源部２２を点灯（駆動）させる直流電流（駆動電流）を生成する。
【００８５】
以上、実施形態６について説明した。実施形態６によれば、複雑な設計を行うことなく、周囲の環境の変化に応じて所望の光色を有する光を発生させることができる。
【００８６】
更に、実施形態６によれば、第２電源部４ｂが、複数の光源部２に対応する複数の電源回路を備える。したがって、互いに光量が異なる複数の光源部２（発光素子）を点灯させることができる。よって、周囲の環境の変化に応じて、照明装置１から発生する光の光量を増加させることができる。
【００８７】
なお、実施形態６では、照明装置１から発生する光の光色が切り替わる形態について説明したが、実施形態２で説明したように、照明装置１から発生する光の輝度を切り替えてもよい。また、実施形態３で説明したように、照明装置１から発生する光の配光角度を切り替えてもよい。
【００８８】
また、実施形態６では、照明装置１が、複数の光源部２を有する１つの灯具本体を備える形態について説明したが、照明装置１は、複数の灯具本体を備え得る。この場合、複数の灯具本体の各々は、１つ以上の光源部２を有し得る。
【００８９】
［実施形態７］
続いて図９及び図１０を参照して、実施形態７を説明する。図９は、実施形態７に係る照明装置１の構成を示すブロック図である。図９に示すように、実施形態７は、第３電源部４ｃを備える点で実施形態１〜６と異なる。
【００９０】
第３電源部４ｃは、外部電源１００から第３電源部４ｃに入力された入力電圧に基づいて、第１制御部５１の動作電圧を生成する。また、第３電源部４ｃは、第２環境センサー３ｂを備える。第２環境センサー３ｂは、周囲の環境の変化を検知して、その検知の結果に応じた信号（周囲の環境の変化に応じた信号）を生成する。例えば、第２環境センサー３ｂが人感センサーを含む場合、人感センサーは、検知領域内に人体等の検知対象が存在するか否かを示す信号を生成する。また、第２環境センサー３ｂが照度センサーを含む場合、照度センサーは、周囲の環境の照度に応じた信号レベルを有する信号を生成する。
【００９１】
第３電源部４ｃは、第２環境センサー３ｂが生成する信号に基づいて、第１制御部５１の動作電圧の波形を制御する。換言すると、第１制御部５１の動作電圧の波形は、第２環境センサー３ｂによる検知の結果（周囲の環境の変化）に応じた所定の波形に制御される。第１制御部５１は、第３電源部４ｃが生成する動作電圧の波形に基づき、点灯させる光源部２を選択する。
【００９２】
図１０は、第３電源部４ｃの構成を示す図である。図１０に示す具体例において、第３電源部４ｃは、第４電源回路４６と第３制御部４４ｂとを更に備える。第３制御部４４ｂは、マイクロコンピューターのような制御機器を含む。第３制御部４４ｂは、第２環境センサー３ｂが生成する信号に基づいて、第４電源回路４６を制御する。
【００９３】
第４電源回路４６は、外部電源１００から第４電源回路４６に入力される入力電圧に基づいて、第２環境センサー３ｂの動作電圧と、第３制御部４４ｂ（例えば、マイクロコンピューター）の動作電圧と、第１制御部５１（例えば、マイクロコンピューター）の動作電圧とを生成する。更に、第４電源回路４６は、第３制御部４４ｂによって制御されて、第１制御部５１の動作電圧の波形を制御する。詳しくは、第３制御部４４ｂは、第２環境センサー３ｂによる検知の結果に基づいて、第４電源回路４６を制御する。第４電源回路４６は、第１制御部５１の動作電圧として、第２環境センサー３ｂによる検知の結果に対応するパルス状の電圧を生成する。例えば、第４電源回路４６は、第２環境センサー３ｂによる検知の結果に対応するパルス波長を有する電圧信号を生成する。
【００９４】
以上、実施形態７について説明した。実施形態７によれば、複雑な設計を行うことなく、周囲の環境の変化に応じて所望の光色を有する光を発生させることができる。
【００９５】
また、実施形態７によれば、第１制御部５１が複数の光源部２の点灯を制御する。したがって、第３電源部４ｃの構成を変更することなく、灯具本体の交換、又は、灯具本体の種類の変更を行うことができる。
【００９６】
また、実施形態７によれば、第３電源部４ｃが環境センサーを備える。よって、照明装置１を小型化することができる。また、照明装置１の設置面積を削減することができる。更に、実施形態７によれば、外部電源１００から供給される電圧を位相制御することなく、点灯させる光源部２を切り替えることができる。したがって、照明装置１から高調波が発生し難い。
【００９７】
なお、実施形態７では、照明装置１から発生する光の光色が切り替わる形態について説明したが、実施形態２で説明したように、照明装置１から発生する光の輝度を切り替えてもよい。また、実施形態３で説明したように、照明装置１から発生する光の配光角度を切り替えてもよい。
【００９８】
［実施形態８］
続いて図１１及び図１２を参照して、実施形態８を説明する。図１１は、実施形態８に係る照明装置１の構成を示すブロック図である。図１１に示すように、実施形態８は、第４電源部４ｄを備える点で実施形態１〜７と異なる。
【００９９】
第４電源部４ｄは、外部電源１００から第４電源部４ｄに入力された入力電圧に基づいて、複数の光源部２に供給する直流電流（駆動電流）を生成する。また、第４電源部４ｄは、第２環境センサー３ｂを備える。第４電源部４ｄは、第２環境センサー３ｂによる検知の結果（周囲の環境の変化）に応じて、第１光源部２１又は第２光源部２２に含まれる発光素子に給電を行う。具体的には、第４電源部４ｄは、第２環境センサー３ｂが生成する信号に基づいて、第１光源部２１及び第２光源部２２のうちから、点灯させる光源部２を選択する。そして、選択した第１光源部２１又は第２光源部２２に供給する直流電流を生成する。
【０１００】
図１２は、第４電源部４ｄの構成を示す図である。図１２に示す具体例において、第４電源部４ｄは、第２電源回路４２、第３電源回路４３、第５電源回路４７、第４制御部４４ｃ、及びスイッチ部４５を更に備える。第４制御部４４ｃは、マイクロコンピューターのような制御機器を含む。
【０１０１】
第５電源回路４７は、外部電源１００から第５電源回路４７に入力される入力電圧に基づいて、第２環境センサー３ｂの動作電圧と、第４制御部４４ｃ（例えば、マイクロコンピューター）の動作電圧とを生成する。第４制御部４４ｃは、第２環境センサー３ｂが生成する信号（検知結果）に基づいて、スイッチ部４５を制御する。スイッチ部４５は、第４制御部４４ｃによって制御されて、入力電圧を第２電源回路４２又は第３電源回路４３に供給する。詳しくは、第４制御部４４ｃは、第２環境センサー３ｂによる検知の結果に基づき、第１光源部２１及び第２光源部２２のうちから、点灯させる光源部２を選択する。スイッチ部４５は、第４制御部４４ｃによって選択された光源部２へ給電が行われるように動作する。
【０１０２】
以上、実施形態８について説明した。実施形態８によれば、複雑な設計を行うことなく、周囲の環境の変化に応じて所望の光色を有する光を発生させることができる。
【０１０３】
更に、実施形態８によれば、第４電源部４ｄが、複数の光源部２に対応する複数の電源回路を備える。したがって、互いに光量が異なる複数の光源部２（発光素子）を点灯させることができる。よって、周囲の環境の変化に応じて、照明装置１から発生する光の光量を増加させることができる。
【０１０４】
また、実施形態８によれば、第４電源部４ｄが環境センサーを備える。よって、照明装置１を小型化することができる。また、照明装置１の設置面積を削減することができる。
【０１０５】
また、実施形態８によれば、外部電源１００から供給される電圧を位相制御することなく、点灯させる光源部２を切り替えることができる。したがって、照明装置１から高調波が発生し難い。
【０１０６】
なお、実施形態８では、照明装置１から発生する光の光色が切り替わる形態について説明したが、実施形態２で説明したように、照明装置１から発生する光の輝度を切り替えてもよい。また、実施形態３で説明したように、照明装置１から発生する光の配光角度を切り替えてもよい。
【０１０７】
また、実施形態８では、照明装置１が、複数の光源部２を有する１つの灯具本体を備える形態について説明したが、照明装置１は、複数の灯具本体を備え得る。この場合、複数の灯具本体の各々は、１つ以上の光源部２を有し得る。
【０１０８】
以上、本発明の実施形態について図面を参照しながら説明した。本発明の実施形態によれば、複雑な設計を行うことなく、周囲の環境の変化に応じて所望の光を発生させることができる。よって、様々な照明機器のバリエーションの豊富化が容易となる。
【０１０９】
なお、本発明は、上記の実施形態に限られるものではなく、その要旨を逸脱しない範囲で種々の態様において実施することが可能である。
【０１１０】
例えば、本発明の実施形態では、照明装置１が２つの光源部２を備える形態について説明したが、光源部２の数は３つ以上であり得る。
【０１１１】
また、本発明の実施形態では、人感センサーとして、焦電素子を含むパッシブ型の赤外線センサーを使用する形態について説明したが、人感センサーの種類は特に限定されるものではない。例えば、人感センサーは、イメージセンサーであり得る。あるいは、人感センサーは、電波又は超音波を利用したアクティブ型のセンサーであり得る。
【０１１２】
また、本発明の実施形態では、発光素子がＬＥＤ素子である場合について説明したが、発光素子はＬＥＤ素子に限定されるものではない。例えば、発光素子は、蛍光灯であってもよいし、白熱電球であってもよし、有機ＥＬであってもよい。
【０１１３】
また、本発明の実施形態では、レンズ５６やパネル５７のような光学部品を用いて光の配光を制御する形態について説明したが、本発明はこの形態に限定されない。例えば、平坦面と傾斜面とを有する基板を用いて光の配光を制御してもよい。詳しくは、平坦面と傾斜面とにそれぞれ発光素子（例えば、ＬＥＤ素子）を実装して、平坦面に実装された発光素子への給電と、傾斜面に実装された発光素子への給電とを、周囲の環境の変化に応じて切り替えればよい。
【産業上の利用可能性】
【０１１４】
本発明は、様々な照明器具への応用が可能である。
【符号の説明】
【０１１５】
１      照明装置
２      光源部
３ａ    第１環境センサー
３ｂ    第２環境センサー
４ａ    第１電源部
４ｂ    第２電源部
４ｃ    第３電源部
４ｄ    第４電源部
５ａ    第１灯具本体
５ｂ    第２灯具本体
５ｃ    第３灯具本体
３１    人感センサー
３２    照度センサー
３３    照度センサー付き人感センサー
４４ａ  第２制御部
４４ｂ  第３制御部
４４ｃ  第４制御部
５１    第１制御部
【図１】
0006742106.tif 000002
【図２】
0006742106.tif 000003
【図３】
0006742106.tif 000004
【図４】
0006742106.tif 000005
【図５】
0006742106.tif 000006
【図６】
0006742106.tif 000007
【図７】
0006742106.tif 000008
【図８】
0006742106.tif 000009
【図９】
0006742106.tif 000010
【図１０】
0006742106.tif 000011
【図１１】
0006742106.tif 000012
【図１２】
0006742106.tif 000013